(57)【要約】【課題】  従来、仮設足場において、踏板に人が出入り（昇降り）できる穴と、穴を開閉し、かつ踏板の長辺の妻面・建物外側の枠体に、蝶着した、開閉足場（蓋）であり、かつ足場の短辺側に、梯子を立設した構造があるが、梯子が、穴を利用して取付けてないので、不便であり、かつ作業が煩雑となることが考えられる。【解決手段】  建設現場、工事現場等で積層して設けた複数枚の上下関係となる踏板に取付ける梯子で、上側踏板に人出入り用穴を開設し、穴に差込むフック付梯子を、穴の枠部に係止し、梯子の下端に設けた差込みフックを、下側の踏板の網体、又は地面に係止し、穴閉塞用の蓋を、穴の枠部に設け、蓋を、穴の枠部に支持する構成とした踏板に取付け、取外しできる梯子である。構造が簡単で、かつ狭隘な隙間に設置した、仮設足場に適する梯子。【選択図】      図２
2014114642.tif 000002
【特許請求の範囲】
【請求項１】
建設現場、工事現場、又は簡易建設現場、簡易工事現場において、積層して設けた少なくとも二枚、又は複数枚の上下関係となる踏板(足場板)を利用して取付ける梯子であって、
この上側の踏板に穴を開設し、この穴に差込みできる梯子と、この梯子に設けた鍵形フックの第一係止手段を、前記穴の枠部に係止するとともに、この梯子の下端に設けた差込みフックの第二係止手段を、下側の踏板の網体、又は地面に係止し、
また、前記穴を閉塞する蓋を、前記穴の枠部に設けるとともに、この蓋を、前記枠部に支持する構成とした建設現場、工事現場、又は簡易建設現場、簡易工事現場の踏板に取付け、取外しできる梯子。
【請求項２】
建設現場、工事現場、又は簡易建設現場、簡易工事現場において、積層して設けた少なくとも二枚、又は複数枚の上下関係となる踏板(足場板)を利用して取付ける梯子であって、
この上側の踏板に人の出入りを可能とする穴を開設し、この穴を閉塞する蓋を、この穴の枠部に設けるとともに、この蓋の取付部と、この取付部に連なる両端部を、前記枠部に支持する構成とし、
前記穴と、この蓋の間に空間部を形成し、この空間部に差込みできる梯子を設け、この梯子に設けた鍵形フックの第一係止手段を、前記穴の枠部に係止するとともに、この梯子の下端に設けた差込みフックの第二係止手段を、下側の踏板の網体、又は地面に係止する構成とした建設現場、工事現場、又は簡易建設現場、簡易工事現場の踏板に取付け、取外しできる梯子。
【請求項３】
請求項１、又は請求項２に記載の建設現場、工事現場、又は簡易建設現場、簡易工事現場の踏板に取付け、取外しできる梯子であって、
前記梯子は、枠部の長短辺の何れにも、係止できる梯子幅を有する構成とした建設現場、工事現場、又は簡易建設現場、簡易工事現場の踏板に取付け、取外しできる梯子。
【請求項４】
請求項１、又は請求項２に記載の建設現場、工事現場、又は簡易建設現場、簡易工事現場の踏板に取付け、取外しできる梯子であって、
前記梯子の差込みフックは、前記網体の隙間、或いは地面に設ける（差込まれる）か、又はこの網体、或いは支持体の構成素材に設けるか（挾持するか）の、何れかの第二係止手段とする構成とした建設現場、工事現場、又は簡易建設現場、簡易工事現場の踏板に取付け、取外しできる梯子。
【請求項５】
請求項１、又は請求項２に記載の建設現場、工事現場、又は簡易建設現場、簡易工事現場の踏板に取付け、取外しできる梯子であって、
前記蓋は、前記枠部の枠材長短辺に取付けられる鍵形の取付部と、この取付部に蝶番を介して取付けた蓋本体と、この蓋本体に設けた折曲片と、前記取付部に貫設した止め具で構成した建設現場、工事現場、又は簡易建設現場、簡易工事現場の踏板に取付け、取外しできる梯子。
【請求項６】
請求項１、又は請求項２に記載の建設現場、工事現場、又は簡易建設現場、簡易工事現場の踏板に取付け、取外しできる梯子であって、
前記蓋は、前記枠部に取付けた状態で、空間部を形成し、この空間部に、前記梯子が立設される構成した建設現場、工事現場、又は簡易建設現場、簡易工事現場の踏板に取付け、取外しできる梯子。
【請求項７】
請求項１、又は請求項２に記載の建設現場、工事現場、又は簡易建設現場、簡易工事現場の踏板に取付け、取外しできる梯子であって、
前記フックを、鍵形形状とした鍵形フックとし、前記枠部の枠体長短辺に係止するとともに、枠体長辺には、前記梯子停止用の突起を設け、また、枠体短辺の網体に、鍵形フックの差込み用の差込み孔を開設する構成した建設現場、工事現場、又は簡易建設現場、簡易工事現場の踏板に取付け、取外しできる梯子。
【請求項８】
請求項１、又は請求項２に記載の建設現場、工事現場、又は簡易建設現場、簡易工事現場の踏板に取付け、取外しできる梯子であって、
前記フックを、倒Ｕ形形状とした倒Ｕ形フックとし、前記枠部の枠体長短辺に係止するとともに、この枠体長短辺に開設した、この倒Ｕ形フックの差込み用の差込み孔に、抜差し自在に係止する構成した建設現場、工事現場、又は簡易建設現場、簡易工事現場の踏板に取付け、取外しできる梯子。
【請求項９】
請求項１、又は請求項２に記載の建設現場、工事現場、又は簡易建設現場、簡易工事現場の踏板に取付け、取外しできる梯子であって、
この梯子は、前記建設現場、工事現場、又は簡易建設現場、簡易工事現場において、境界線より、略５０ｃｍの隙間に設置された仮設足場用建枠に、積層して設けた少なくとも二枚、又は複数枚の上下関係となる踏板を利用して取付ける構成した建設現場、工事現場、又は簡易建設現場、簡易工事現場の踏板に取付け、取外しできる梯子。
【請求項１０】
請求項１、又は請求項２に記載の建設現場、工事現場、又は簡易建設現場、簡易工事現場の踏板に取付け、取外しできる梯子であって、
この梯子は、上端の横木の一本〜数本が、上側の踏板より、上方に設けられる構成した建設現場、工事現場、又は簡易建設現場、簡易工事現場の踏板に取付け、取外しできる梯子。
【発明の詳細な説明】
【技術分野】
【０００１】
本発明は、建設現場、工事現場、又は簡易建設現場、簡易工事現場において、境界より、略５０ｃｍ程度範囲に設置に最適な仮設足場用建枠（従って、この略５０ｃｍ程度範囲超えた設置も可能な仮設足場用建枠）に、積層して設けた少なくとも二枚、又は複数枚の上下関係となる踏板（足場板）を利用して取付ける構成した建設現場、工事現場、又は簡易建設現場、簡易工事現場の踏板に取付け、取外しできる梯子に関する。
【背景技術】
【０００２】
本発明は、境界より５０ｃｍ程度の範囲（狭隘な隙間）に設置する際に最適な仮設足場用建枠、又は略５０ｃｍ程度の範囲を超えた設置も可能な仮設足場用建枠の如く、広範な使用ができる仮設足場用建枠に関する。そこで、最小の範囲に設置する際に最適な仮設足場用建枠に関して、説明する。
【０００３】
この最小の範囲に設置する際に最適な仮設足場用建枠において、希望されていることが、梯子の簡便、確実な設置と、当然であるが、５０ｃｍ程度範囲での設置、並びに足場からの転落防止が図れる、梯子と足場の構造である。
【０００４】
上記の一例として、図１７−１と、図１７−２が挙げられる。この図１７−１は、踏板（足場板）と梯子の構造において、踏板に人が出入り（昇降り）できる穴と、この穴を開閉し、かつ踏板の長辺の妻面（建物）側の枠体に、蝶着した、開閉足場（蓋）であり、かつ足場の短辺側に、梯子を立設した構造である。また、図１７−２は、踏板と梯子の構造において、踏板に人が出入り（昇降り）できる穴と、この穴を開閉し、かつ踏板の長辺の桁（建物外）側の枠体に、蝶着した、開閉足場（蓋）であり、かつ踏板の長辺側に、梯子を立設した構造である。この構造では、梯子の先端を、長短辺に止め付けする構造であるので、梯子を乗り上がった際に、手元用のガイドがない。とっさの時に危険である。また、ガイドとして建枠を使うこととなり、面倒である。さらに、踏板に設けた穴と、梯子の取付関係は、一体形であるので、梯子の位置を変更すれば、併せて穴の位置も変更される構造であり、一貫性に欠ける虞がある。
【０００５】
また、文献上では、実開平６−３２５７６号公報に記載された考案がある（文献（１）とする）。この考案は、狭幅枠組足場において、開閉式の昇降ハッチと、この昇降ハッチに隣接するように、梯子を付設した構造であり、この梯子を妻側か、又は桁に設けることを特徴とする。しかし、この文献（１）は、昇降ハッチ用の穴を利用して、梯子を設置する（取付ける）構造でなく（足場枠の外側に、梯子を設置する構造であり）、狭隘な隙間利用の設置でなく、かつこの狭隘な隙間を狭める結果となり、有効とは考えられない。同様な趣旨として、特開２００４−３００８３８号公報の仮設足場がある（文献（２）とする）。この発明も、前述の文献（１）に準ずる。
【０００６】
【特許文献１】実開平６−３２５７６号公報
【特許文献２】特開２００４−３００８３８号公報
【発明の概要】
【発明が解決しようとする課題】
【０００７】
上記に鑑み、本発明は、下記に示した「イ」〜「ホ」の目的を達成することにある。
「イ」  踏板（足場板）内に、人の出入り（昇降）可能な穴（昇降ハッチ）を開設し、この穴内に、梯子を設置可能とする。これにより、仮設足場を、境界より５０ｃｍ程度の範囲（狭隘な隙間）に設置でき、かつこの仮設足場に、梯子を取付け（設置）可能となる。
「ロ」  穴の少なくとも、二方向に、梯子を取付け可能とすることで、現場において、行動自由性と、取付け汎用化、又は昇降容易化等に有効である。
「ハ」  梯子を、上下側の踏板に、確実に取付け、取外し、又は簡略化が可能となること、又はこの梯子の取付け方向を、踏板の長短辺の何れにも可能となること、等の特徴を有する。
「ニ」  穴には、梯子、蓋を設置することから、狭隘な隙間に、仮設足場を、確実かつ簡便に設置できることともに、梯子をセットできる特徴がある。
「ホ」  穴と梯子を、踏板の適所に取付け（設置）可能とすることで、作業行動自由性と、工事作業迅速化、疲労軽減化、又は工事作業容易化等に有効である。
【課題を解決するための手段】
【０００８】
上記の「イ」〜「ホ」を達成するために、下記の請求項１〜請求項１０を提供する。
【０００９】
請求項１は、建設現場、工事現場、又は簡易建設現場、簡易工事現場において、積層して設けた少なくとも二枚、又は複数枚の上下関係となる踏板（足場板）を利用して取付ける梯子であって、
この上側の踏板に穴を開設し、この穴に差込みできる梯子と、この梯子に設けた鍵形フックの第一係止手段を、前記穴の枠部に係止するとともに、この梯子の下端に設けた差込みフックの第二係止手段を、下側の踏板の網体、又は地面に係止し、
また、前記穴を閉塞する蓋を、前記穴の枠部に設けるとともに、この蓋を、前記枠部に支持する構成とした建設現場、工事現場、又は簡易建設現場、簡易工事現場の踏板に取付け、取外しできる梯子である。
【００１０】
請求項２は、建設現場、工事現場、又は簡易建設現場、簡易工事現場において、積層して設けた少なくとも二枚、又は複数枚の上下関係となる踏板（足場板）を利用して取付ける梯子であって、
この上側の踏板に人の出入りを可能とする穴を開設し、この穴を閉塞する蓋を、この穴の枠部に設けるとともに、この蓋の取付部と、この取付部に連なる両端部を、前記枠部に支持する構成とし、
前記穴と、この蓋の間に空間部を形成し、この空間部に差込みできる梯子を設け、この梯子に設けた鍵形フックの第一係止手段を、前記穴の枠部に係止するとともに、この梯子の下端に設けた差込みフックの第二係止手段を、下側の踏板の網体、又は地面に係止する構成とした建設現場、工事現場、又は簡易建設現場、簡易工事現場の踏板に取付け、取外しできる梯子である。
【００１１】
請求項３は、請求項１、又は請求項２に記載の建設現場、工事現場、又は簡易建設現場、簡易工事現場の踏板に取付け、取外しできる梯子であって、
前記梯子は、枠部の長短辺の何れにも、係止できる梯子幅を有する構成とした建設現場、工事現場、又は簡易建設現場、簡易工事現場の踏板に取付け、取外しできる梯子である。
【００１２】
請求項４は、請求項１、又は請求項２に記載の建設現場、工事現場、又は簡易建設現場、簡易工事現場の踏板に取付け、取外しできる梯子であって、
前記梯子の差込みフックは、前記網体の隙間、或いは地面に設ける（差込まれる）か、又はこの網体、或いは支持体の構成素材に設けるか（挾持するか）の、何れかの第二係止手段とする構成とした建設現場、工事現場、又は簡易建設現場、簡易工事現場の踏板に取付け、取外しできる梯子である。
【００１３】
請求項５は、請求項１、又は請求項２に記載の建設現場、工事現場、又は簡易建設現場、簡易工事現場の踏板に取付け、取外しできる梯子であって、
前記蓋は、前記枠部の枠材長短辺に取付けられる鍵形の取付部と、この取付部に蝶番を介して取付けた蓋本体と、この蓋本体に設けた折曲片と、前記取付部に貫設した止め具で構成した建設現場、工事現場、又は簡易建設現場、簡易工事現場の踏板に取付け、取外しできる梯子である。
【００１４】
請求項６は、請求項１、又は請求項２に記載の建設現場、工事現場、又は簡易建設現場、簡易工事現場の踏板に取付け、取外しできる梯子であって、
前記蓋は、前記枠部に取付けた状態で、空間部を形成し、この空間部に、前記梯子が立設される構成した建設現場、工事現場、又は簡易建設現場、簡易工事現場の踏板に取付け、取外しできる梯子である。
【００１５】
請求項７は、請求項１、又は請求項２に記載の建設現場、工事現場、又は簡易建設現場、簡易工事現場の踏板に取付け、取外しできる梯子であって、
前記フックを、鍵形形状とした鍵形フックとし、前記枠部の枠体長短辺に係止するとともに、枠体長辺には、前記梯子停止用の突起を設け、また、枠体短辺の網体に、鍵形フックの差込み用の差込み孔を開設する構成した建設現場、工事現場、又は簡易建設現場、簡易工事現場の踏板に取付け、取外しできる梯子である。
【００１６】
請求項８は、請求項１、又は請求項２に記載の建設現場、工事現場、又は簡易建設現場、簡易工事現場の踏板に取付け、取外しできる梯子であって、
前記フックを、倒Ｕ形形状とした倒Ｕ形フックとし、前記枠部の枠体長短辺に係止するとともに、この枠体長短辺に開設した、この倒Ｕ形フックの差込み用の差込み孔に、抜差し自在に係止する構成した建設現場、工事現場、又は簡易建設現場、簡易工事現場の踏板に取付け、取外しできる梯子である。
【００１７】
請求項９は、請求項１、又は請求項２に記載の建設現場、工事現場、又は簡易建設現場、簡易工事現場の踏板に取付け、取外しできる梯子であって、
この梯子は、前記建設現場、工事現場、又は簡易建設現場、簡易工事現場において、境界線より、略５０ｃｍの隙間に設置された仮設足場用建枠に、積層して設けた少なくとも二枚、又は複数枚の上下関係となる踏板を利用して取付ける構成した建設現場、工事現場、又は簡易建設現場、簡易工事現場の踏板に取付け、取外しできる梯子である。
【００１８】
請求項１０は、請求項１、又は請求項２に記載の建設現場、工事現場、又は簡易建設現場、簡易工事現場の踏板に取付け、取外しできる梯子であって、
この梯子は、上端の横木の一本〜数本が、上側の踏板より、上方に設けられる構成した建設現場、工事現場、又は簡易建設現場、簡易工事現場の踏板に取付け、取外しできる梯子である。
【発明の効果】
【００１９】
請求項１の発明は、建設現場、工事現場、又は簡易建設現場、簡易工事現場において、積層して設けた少なくとも二枚、又は複数枚の上下関係となる踏板（足場板）を利用して取付ける梯子であって、
上側の踏板に穴を開設し、穴に差込みできる梯子と、梯子に設けた鍵形フックの第一係止手段を、穴の枠部に係止するとともに、梯子の下端に設けた差込みフックの第二係止手段を、下側の踏板の網体、又は地面に係止し、
また、穴を閉塞する蓋を、穴の枠部に設けるとともに、蓋を、枠部に支持する構成とした建設現場、工事現場、又は簡易建設現場、簡易工事現場の踏板に取付け、取外しできる梯子である。
【００２０】
請求項２の発明は、建設現場、工事現場、又は簡易建設現場、簡易工事現場において、積層して設けた少なくとも二枚、又は複数枚の上下関係となる踏板（足場板）を利用して取付ける梯子であって、
上側の踏板に人の出入りを可能とする穴を開設し、穴を閉塞する蓋を、穴の枠部に設けるとともに、蓋の取付部と、取付部に連なる両端部を、前記枠部に支持する構成とし、
穴と、蓋の間に空間部を形成し、空間部に差込みできる梯子を設け、梯子に設けた鍵形フックの第一係止手段を、穴の枠部に係止するとともに、梯子の下端に設けた差込みフックの第二係止手段を、下側の踏板の網体、又は地面に係止する構成とした建設現場、工事現場、又は簡易建設現場、簡易工事現場の踏板に取付け、取外しできる梯子である。
【００２１】
従って、請求項１、又は請求項２は、下記の効果がある。
「イ」  踏板（足場板）内に、人の出入り（昇降）可能な穴（昇降ハッチ）を開設し、この穴内に、梯子を設置可能とする。これにより、仮設足場を、境界より５０ｃｍ程度の範囲（狭隘な隙間）に設置でき、かつこの仮設足場に、梯子を取付け（設置）可能となる。
「ロ」  穴の少なくとも、二方向に、梯子を取付け可能とすることで、現場において、行動自由性と、取付け汎用化、又は昇降容易化等に有効である。
「ハ」  梯子を、上下側の踏板に、確実に取付け、取外し、又は簡略化が可能となること、又はこの梯子の取付け方向を、踏板の長短辺の何れにも可能となること、等の特徴を有する。
「ニ」  穴には、梯子、蓋を設置することから、狭隘な隙間に、仮設足場を、確実かつ簡便に設置できることともに、梯子をセットできる特徴がある。
「ホ」  穴と梯子を、踏板の適所に取付け（設置）可能とすることで、作業行動自由性と、工事作業迅速化、疲労軽減化、又は工事作業容易化等に有効である。
【００２２】
請求項３の発明は、請求項１、又は請求項２に記載の建設現場、工事現場、又は簡易建設現場、簡易工事現場の踏板に取付け、取外しできる梯子であって、
梯子は、枠部の長短辺の何れにも、係止できる梯子幅を有する構成とした建設現場、工事現場、又は簡易建設現場、簡易工事現場の踏板に取付け、取外しできる梯子である。
【００２３】
従って、請求項３は、「イ」〜「ホ」の他に下記の効果がある。
「ヘ」  梯子の取付け自由化・簡略化と、使用簡便化、現場対応化等に寄与できる。
【００２４】
請求項４の発明は、請求項１、又は請求項２に記載の建設現場、工事現場、又は簡易建設現場、簡易工事現場の踏板に取付け、取外しできる梯子であって、
梯子の差込みフックは、網体の隙間、或いは地面に設ける（差込まれる）か、又は網体、或いは支持体の構成素材に設けるか（挾持するか）の、何れかの第二係止手段とする構成とした建設現場、工事現場、又は簡易建設現場、簡易工事現場の踏板に取付け、取外しできる梯子である。
【００２５】
従って、請求項４は、「イ」〜「ホ」の他に下記の効果がある。
「ト」  梯子の取付け安定化・簡略化と、使用簡便化、全（全ての）現場対応化等に寄与できる。
【００２６】
請求項５の発明は、請求項１、又は請求項２に記載の建設現場、工事現場、又は簡易建設現場、簡易工事現場の踏板に取付け、取外しできる梯子であって、
蓋は、枠部の枠材長短辺に取付けられる鍵形の取付部と、取付部に蝶番を介して取付けた蓋本体と、蓋本体に設けた折曲片と、取付部に貫設した止め具で構成した建設現場、工事現場、又は簡易建設現場、簡易工事現場の踏板に取付け、取外しできる梯子である。
【００２７】
従って、請求項５は、「イ」〜「ホ」の他に下記の効果がある。
「チ」  蓋の取付け安定化で、使用簡便化、全（全ての）現場対応化等に寄与できる。
【００２８】
請求項６の発明は、請求項１、又は請求項２に記載の建設現場、工事現場、又は簡易建設現場、簡易工事現場の踏板に取付け、取外しできる梯子であって、
蓋は、枠部に取付けた状態で、空間部を形成し、空間部に、梯子が立設される構成した建設現場、工事現場、又は簡易建設現場、簡易工事現場の踏板に取付け、取外しできる梯子である。
【００２９】
従って、請求項６は、「イ」〜「ホ」の他に下記の効果がある。
「リ」  蓋と梯子の設置の容易化が図れ、かつ使用簡便化、全（全ての）現場対応化等に寄与できる。
【００３０】
請求項７の発明は、請求項１、又は請求項２に記載の建設現場、工事現場、又は簡易建設現場、簡易工事現場の踏板に取付け、取外しできる梯子であって、
フックを、鍵形形状とした鍵形フックとし、枠部の枠体長短辺に係止するとともに、枠体長辺には、梯子停止用の突起を設け、また、枠体短辺の網体に、鍵形フックの差込み用の差込み孔を開設する構成した建設現場、工事現場、又は簡易建設現場、簡易工事現場の踏板に取付け、取外しできる梯子である。
【００３１】
従って、請求項７は、「イ」〜「ホ」の他に下記の効果がある。
「ヌ」  梯子の取付け安定化で、使用簡便化、全（全ての）現場対応化等に寄与できる。
【００３２】
請求項８の発明は、請求項１、又は請求項２に記載の建設現場、工事現場、又は簡易建設現場、簡易工事現場の踏板に取付け、取外しできる梯子であって、
フックを、倒Ｕ形形状とした倒Ｕ形フックとし、枠部の枠体長短辺に係止するとともに、枠体長短辺に開設した、倒Ｕ形フックの差込み用の差込み孔に、抜差し自在に係止する構成した建設現場、工事現場、又は簡易建設現場、簡易工事現場の踏板に取付け、取外しできる梯子である。
【００３３】
従って、請求項８は、「イ」〜「ホ」の他に下記の効果がある。
「ル」  フックの構造多様化、取付け安定化で、使用簡便化、全（全ての）現場対応化等に寄与できる。
【００３４】
請求項９の発明は、請求項１、又は請求項２に記載の建設現場、工事現場、又は簡易建設現場、簡易工事現場の踏板に取付け、取外しできる梯子であって、
梯子は、建設現場、工事現場、又は簡易建設現場、簡易工事現場において、境界線より、略５０ｃｍの隙間に設置された仮設足場用建枠に、積層して設けた少なくとも二枚、又は複数枚の上下関係となる踏板を利用して取付ける構成した建設現場、工事現場、又は簡易建設現場、簡易工事現場の踏板に取付け、取外しできる梯子である。
【００３５】
従って、請求項９は、「イ」〜「ホ」の効果がある。
【００３６】
請求項１０の発明は、請求項１、又は請求項２に記載の建設現場、工事現場、又は簡易建設現場、簡易工事現場の踏板に取付け、取外しできる梯子であって、
梯子は、上端の横木の一本〜数本が、上側の踏板より、上方に設けられる構成した建設現場、工事現場、又は簡易建設現場、簡易工事現場の踏板に取付け、取外しできる梯子である。
【００３７】
従って、請求項１０は、「イ」〜「ホ」の他に下記の効果がある。
「ヲ」  梯子をガイドして有効利用すること、工事安全性確保と、使用簡便化等に寄与できる。
【図面の簡単な説明】
【００３８】
【図１】建屋に仮設足場と梯子を取付けた状態の縮尺模式図
【図２】足場に設けた穴で、かつ短辺に梯子を取付けた状態の斜視図
【図３】図２状態の要部の仰視拡大斜視図
【図４】図２の状態において、梯子を取外し、穴と蓋の関係を示した俯瞰斜視図
【図５】図２の状態において、穴と梯子、並びに蓋の関係を示した俯瞰斜視図
【図６】図２の状態において、蓋を開放し、穴より人が出入りできる状態の俯瞰斜視図
【図７】図２の別の例を示した斜視図
【図８】足場に設けた穴で、かつ長辺に梯子を取付けた状態の斜視図
【図９】図８状態の要部の仰視拡大斜視図
【図１０】図８の状態において、梯子を取外し、穴と蓋の関係を示した俯瞰斜視図
【図１１】図８の状態において、穴と梯子、並びに蓋の関係を示した俯瞰斜視図
【図１２】図８の状態において、蓋を開放し、穴より人が出入りできる状態の俯瞰斜視図
【図１３】図８の状態において、蓋を、手で開放する状態の俯瞰斜視図建屋に仮設足場と梯子を取付けた状態の模式図
【図１４】図８の別の例を示した斜視図
【図１５】梯子の下側の横木に設けた差込みフックと、踏板の網体、又は地面との無関係を示した俯瞰図
【図１６】梯子に設けた鍵形フックと、穴の枠部の係止手段の他の例を示した要部の俯瞰斜視図と、その要部の拡大斜視図
【図１７−１】従来の例において、足場の網体と、梯子の差込みフックを設けた一例の俯瞰拡大斜視図
【図１７−２】従来の例において、梯子のフックと、枠材長短辺の、他の係止関係を示した拡大模式図綺麗
【発明を実施するための形態】
【００３９】
仮設足場Ａは、縦枠１（支柱）と、この縦枠１に差渡し設けた横枠２（手摺、又はブラケット）を組合わせて、境界線Ｂより、略５０ｃｍの隙間に設置される。この縦枠１と、横枠２を順次、かつ多数本組付けることで、仮設足場Ａの外郭部が構成されるので、この横枠２間に、踏板３を、多数枚、かつ順次、取付けることで、図１に示したような、仮設足場Ａ組立構成される。
【００４０】
本発明では、この踏板３に特徴がある。踏板３は、この例では、長方形枠の枠体３００と、この枠体３００に張装した網体３０１（板材、その他の資材を含む踏板３の踏み部である）と、この網体３０１（網体３０１に限定されない）に開設した正方形の穴３０２と、この穴３０２を囲繞する正方形の枠部３０３と、枠体３００の両側の短手方向外枠に設けたフック３０４で構成する。この例では、穴３０２は、踏板３の全長Ｘ（長手方向を指す）の略２／３の処に開設し、一方隅となる一方網体３０１ａと、他方隅から中心部に到る他方網体３０１ｂを構成する構造であり、例えば、少なくとも、他方側に人が起立するに十分なスペースを、他方網体３０１ｂで確保する。そして、この踏板３は、両側のフック３０４を、前記横枠２間に、架承することで、走行する仮設足場Ａが組立てられる。
【００４１】
図中５は金属製等の梯子であり、この梯子５は、二本の縦木５００と、この縦木５００間に水平に差渡した複数本の横木５０１（梯子棧）で構成し、この梯子幅５ａは、穴３０２を囲繞する枠部３０３の短辺側３０３ａの内寸法より、図例では、やや短寸法に形成されている（図示しないが、内寸法と略同じも可能）。従って、梯子５が、例えば、図２、図５等の如く、この短辺側３０３ａ側に差込まれる構造となっている。また、図８、図９等の如く、この長辺側３０３ｂ側に差込まれる構造となっている。但し、長辺側３０３ｂの長さに対して、梯子幅５ａが短いことから、枠部３０３の外側の中央端部に、停止突起６が設けられている。この停止突起６と短辺側３０３ａとの間に、梯子５を差入れる構造である。
【００４２】
また、図７の例は、図２の別の例を示したが、この例では、梯子幅５ａが、穴３０２の内寸法と略同じ寸法とし、梯子５を、短辺側３０３ａに設けた例である。同様に、図８は、図２の別の例において、梯子５を、長辺側３０３ｂに設け例を示している。この例では、切欠部３０１ｃの位置が異なること、又は停止突起６等は必要としないこと、等が特徴である。
【００４３】
尚、穴３０２の枠部３０３に蓋７を取付けた場合は、二通りの取付けが可能である。例えば、図２、図５等の如く、この蓋７の鍵形の取付部７００を、方形形状の短辺側３０３ａに嵌合し、かつ止め具８（止めピン等）で固定した例では、短辺側３０３ａに沿って、空間部１０ａが形成されるので、この空間部１０ａに梯子５を差入れる。また、例えば、図８、図９等の如く、この蓋７の鍵形の取付部７００を、方形形状の長辺側３０３ｂに嵌合し、かつ止め具８（止めピン等）で固定した例では、長辺側３０３ｂに沿って、空間部１０ｂが形成されるので、この空間部１０ｂに梯子５を差入れる。この蓋７は、穴３０２の正方形に対して、一辺側が短い長さとなった長方形とする。例えば、図２、図５等の如く、蓋７の両端部７ａ、７ｂは、短辺側３０３ａに取付けた場合には、長辺側３０３ｂの上に添設され（蓋７を、取付部７００の取付け、及び両端部７ａ、７ｂの添設で、枠部３０３に支持する構成）、かつ短辺側３０３ａ側に空間部１０ａが形成される。また、例えば、止め具８を長寸（網体３０１より突出する長さ）にすることで、蓋７を半開状態に保持できる（図６、図１１参照）。勿論、図示しないが、蓋７の全開状態も可能である。また、例えば、図８、図９等の如く、蓋７の両端部７ａ、７ｂは、長辺側３０３ｂに取付けた場合には、短辺側３０３ａの上に添設され（蓋７を、取付部７００の取付け、及び両端部７ａ、７ｂの添設で、枠部３０３に支持する構成）、かつ長辺側３０３ｂ側に空間部１０ｂが形成される。即ち、空間部１０ａと空間部１０ｂを形成するために、前述の如く、一例として、枠部３０３が正方形で、蓋７が長方形とした構造である。
【００４４】
また、梯子５には、縦木５００に鍵形フック１１（係止手段の一例である。第一係止手段）を対で設けるとともに、下側（下端）の横木５０１（横木５０１に限定されない。例えば、支持体、差渡し板等の構成素材でも可能である）に差込みフック１２（係止手段の一例である。第二係止手段）を備えている。これにより、下側の踏板３の網体３０１（地面、前記構成素材）に、差込みフック１２を固定し、また、鍵形フック１１を、例えば、図２、図３等の如く、短辺側３０３ａに係止支持するとともに、網体３０１の切欠部３０１ｃ（図例では、網体３０１の一方端部と、他方端部の内側に設ける。梯子幅５ａに合わせるが、一例である）に差込み支持する。尚、例えば、図８、図９等の如く、長辺側３０３ｂに係止支持するとともに、停止突起６に強制係止し支持される。尚、図１３の如く、鍵形フック１１（係止手段の他の一例である）をＵ字形状として、長短辺３０３ｂ、３０３ａの係止孔３０３ｃを差込み支持する構造も可能である。
【００４５】
尚、蓋７の自由端（開放側）に折曲部７０１を形成することで、この蓋７の薄肉厚を図り、また、強度向上と、さらには持ち手用、又は開閉容易化等を図る。
【００４６】
図中１５は蝶番で、取付部７００と蓋本体７ａとを連繋する。
【００４７】
続いて、使用の一例を説明すると、図１の如く、境界線Ｂより、略５０ｃｍの隙間に仮設足場Ａを設置する。この際に、下側の踏板３−３（構造は、踏板３と略同じであり、符号等は使用する）は、網体３０１が全体に設けられている構造とする（踏板３も可能）。上側には、本発明の踏板３を設置する。先ず、図２、図３等の例では、前述の如く、蓋７のコ字形の取付部７００を、穴３０２の枠部３０３の短辺側３０３ａに嵌合し（取付け）、かつ止め具８で固定すると、この短辺側３０３ａに沿って、空間部１０ａが形成されるので、この空間部１０ａに梯子５を差入れる。その際に、梯子５の鍵形フック１１を、対峙側の短辺側３０３ａに係止支持するとともに、網体３０１の切欠部３０１ｃに差込み支持し、かつ横木５０１の差込みフック１２を、下側の踏板３−３の網体３０１に支持し（一例であり、踏板３−３の構造は、網体３０１に限定されない）、確実、かつ安定した状態で、踏板３と蓋板３−３間に固定される。また、梯子５の上方の縦木５００と、横木５０１が、踏板３の上方に突出支持とされる。梯子５を利用する場合には、蓋７を開放し、穴３０２を利用して、昇降する。この穴３０２の大きさは、昇降の際に、作業者が腰に設けた道具袋の挿脱が可能な構造とする。
【００４８】
次に、図８、図９等の例では、前述の如く、蓋７のコ字形の取付部７００を、穴３０２の枠部３０３の長辺側３０３ｂに嵌合し（取付け）、かつ止め具８で固定すると、この長辺側３０３ｂに沿って、空間部１０ｂが形成されるので、この空間部１０ｂに梯子５を差入れる。その際に、梯子５の鍵形フック１１を、対峙側の長辺側３０３ｂに係止支持するとともに、外側の停止突起６に添設係止し、かつ差込みフック１２を前述の例と同様に支持することで、確実、かつ安定した状態で、踏板３と踏板３−３間に固定される。その他は、前述の例に準ずる。
【００４９】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００５０】
Ａ          仮設足場
Ｂ          境界線
１          縦枠
２          横枠
３          踏板
３−３      踏板
３００      枠体
３０１      網体
３０１ａ    一方網体
３０１ｂ    他方網体
３０１ｃ    切欠部
３０２      穴
３０３      枠部
３０３ａ    短辺側
３０３ｂ    長片側
３０３ｃ    孔
３０４      フック
５          梯子
５ａ        梯子幅
５００      縦木
５０１      横木
６          停止突起
７          蓋
７ａ        蓋本体
７００      取付部
７０１      折曲部
８          止め具
１０ａ      空間部
１０ｂ      空間部
１１        鍵形フック
１２        差込みフック
１５        蝶番
【図１】
2014114642.tif 000003
【図２】
2014114642.tif 000004
【図３】
2014114642.tif 000005
【図４】
2014114642.tif 000006
【図５】
2014114642.tif 000007
【図６】
2014114642.tif 000008
【図７】
2014114642.tif 000009
【図８】
2014114642.tif 000010
【図９】
2014114642.tif 000011
【図１０】
2014114642.tif 000012
【図１１】
2014114642.tif 000013
【図１２】
2014114642.tif 000014
【図１３】
2014114642.tif 000015
【図１４】
2014114642.tif 000016
【図１５】
2014114642.tif 000017
【図１６】
2014114642.tif 000018
【図１７−１】
2014114642.tif 000019
【図１７−２】
2014114642.tif 000020